(57)【要約】【課題】ガス供給管が引っ張られたときにガス供給管接続用ネジが抜け落ちないように、ガス供給管接続用ネジを引っ張る力に対する抗力を高めたガス供給管接続用ネジの固定構造を提供する。【解決手段】ガス供給管接続用ネジ１０は、ガス供給路の接合部６ａに螺合される。そして、鉄皮７とガス供給管接続用ネジの頭部フランジ１２との隙間２５には耐火モルタルが充填される。鉄皮から露出した頭部フランジは、ネジ固定治具２０に嵌合されている。ネジ固定治具２０は頭部フランジが嵌入する頭部フランジ嵌入穴を有し、当該穴の表面側に頭部フランジの角隅部上面を覆うようにネジ１０と係合するネジ係合部材２２が設けられている。これにより、ガス供給管３０を引っ張ってもネジ１０が抜け落ちないようにすることができる。【選択図】図３
2015178115.tif 000002
【特許請求の範囲】
【請求項１】
ノズル本体内に設けられノズル内孔にガスを供給可能なガス導入路と、当該ガス導入路内にガスを供給するガス供給管をノズル本体に接続するためのガス供給管接続用ネジと、当該ガス供給管接続用ネジの取り付け部位付近のノズル本体に巻回された鉄皮とを有したノズルにおいて、
前記ガス供給管接続用ネジは、外形に角部を備えた頭部フランジを有し、
前記鉄皮は、前記ガス供給管接続用ネジを挿通可能なネジ挿通穴を有し、
前記ガス供給管接続用ネジが、前記鉄皮に固着されて前記頭部フランジを回転不能に保持するネジ固定部材によって保持されるようにしたガス供給管接続用ネジの固定構造であって、
前記鉄皮又は前記ネジ固定部材に固着され、少なくとも前記頭部フランジの角隅部上面を覆うように前記ガス供給管接続用ネジと係合するネジ係合部材が、前記ネジ固定部材と共に前記ガス供給管接続用ネジを前記取り付け部位に固定するようにしたことを特徴とするガス供給管接続用ネジの固定構造。
【請求項２】
前記ネジ固定部材が、前記頭部フランジと係合して当該頭部フランジを回転不能とする頭部フランジ嵌入穴を有するリング状のネジ固定用治具からなり、
当該ネジ固定用治具の表面に、前記頭部フランジの角隅部上面を覆う前記ネジ係合部材を連接形成して、
前記ネジ固定用治具が、前記ガス供給管接続用ネジを前記取り付け部位に固定するようにしたことを特徴とする請求項１に記載のガス供給管接続用ネジの固定構造。
【請求項３】
平板状の前記ネジ固定部材に幅方向の断面がＬ字状に形成された前記ネジ係合部材を一体成型して、ネジ係合部を有する前記ネジ固定部材を設け、
一対の当該ネジ固定部材を、前記ネジ係合部が前記ガス供給管接続用ネジを挟んで対向するように配置して、
前記ネジ固定部材が、前記ガス供給管接続用ネジを前記取り付け部位に固定するようにしたことを特徴とする請求項１に記載のガス供給管接続用ネジの固定構造。
【発明の詳細な説明】
【技術分野】
【０００１】
本発明は、ノズルにガス供給管を接続するためのガス供給管接続用ネジの固定構造に関する。
【背景技術】
【０００２】
従来より、ノズルの問題点として、溶鋼中に含まれる酸化アルミニウム又はこれに類する酸化物がノズル内孔の壁面に付着して、ノズル内孔を閉塞することが知られている。これを防止するため、アルゴンガス又はこれに類する不活性ガスをノズル内孔へ供給することが行われている。図１に示すように、不活性ガスは、ノズル１に設けたガス導入路５を介して供給される。当該ガス導入路５は、図１に示すように、ノズル本体２内にノズル内孔３と略同心で軸方向に延在して設けられた環状スリットからなる。
【０００３】
当該ガス導入路５は、ノズル本体２の径方向に沿って設けられたガス供給路６を通じて不活性ガスが供給されている。当該ガス供給路６のノズル胴部２ａの外壁側開口端にガス供給管接続用ネジを螺合する構造が、特許第５３１５１２１号公報に開示されている。
当該ガス供給管接続用ネジ１０は、図１並びに図６及び図７に示すとおり、多角形状の頭部フランジ１２と、該ネジの軸方向に沿って中心部に形成された貫通孔１３とを有するソケットボルトからなる。当該貫通孔１３は、内側面に雌ネジ（図示略）が切られている。当該雌ネジ（図示略）と、先端部に雄ネジ（図示略）が切られたガス供給管３０を螺合することによって、当該ガス供給管３０をガス供給管接続用ネジ１０へ接続することができる。そして、ガス供給管接続用ネジ１０は、ガス供給路６の開口端に螺合される。これにより、ガス供給管３０をガス導入路５へ容易に接続することができる。
当該ガス供給路６の開口端近傍のノズル胴部２ａ、いわゆるガス供給管接続用ネジ１０の取り付け部位付近には、ノズル本体２を補強するために鉄皮７が巻回されている。そして、当該鉄皮７はガス供給管接続用ネジ１０が挿通されるネジ挿通穴８を有している。当該ネジ挿通穴８は、リング状のネジ固定治具５０からなるネジ固定部材によって覆われている。当該ネジ固定治具５０は、ガス供給管接続用ネジ１０の頭部フランジ１２と係合して当該頭部フランジ１２を回転不能とする頭部フランジ嵌入穴５１を有している。当該ネジ固定治具５０を鉄皮７に所定のスポット５２で溶接によって固着することにより、頭部フランジ１２を鉄皮７に固定することができる。これにより、ガス供給路６に螺合したガス供給管接続用ネジ１０が過回転して、ノズル本体２を破壊してしまうことを防止することができる。
【先行技術文献】
【特許文献】
【０００４】
【特許文献１】特許第５３１５１２１号公報
【発明の概要】
【発明が解決しようとする課題】
【０００５】
ここで、実際の使用現場においては、ユーザーがノズルに接続したガス供給管を掴んで当該ノズルを運搬しているという事例がある。
しかしながら、上記のネジ固定構造の場合、何らかの要因でガス供給管を引っ張る力が加わるとガス供給管接続用ネジと共にガス供給管がガス供給路から抜け落ちるおそれがある。これにより、たとえば、ノズルの破損や、或いは使用者の怪我が誘発されるおそれがある。
【０００６】
したがって、本発明が解決しようとする課題は、ガス供給管が引っ張られたときにガス供給管接続用ネジが抜け落ちないように、ガス供給管接続用ネジを引っ張る力に対する抗力を高めたガス供給管接続用ネジの固定構造を提供することである。
【課題を解決するための手段】
【０００７】
請求項１に記載のガス供給管接続用ネジの固定構造は、ノズル本体内に設けられノズル内孔にガスを供給可能なガス導入路と、当該ガス導入路内にガスを供給するガス供給管をノズル本体に接続するためのガス供給管接続用ネジと、当該ガス供給管接続用ネジの取り付け部位付近のノズル本体に巻回された鉄皮とを有したノズルにおいて、
前記ガス供給管接続用ネジは、外形に角部を備えた頭部フランジを有し、
前記鉄皮は、前記ガス供給管接続用ネジを挿通可能なネジ挿通穴を有し、
前記ガス供給管接続用ネジが、前記鉄皮に固着されて前記頭部フランジを回転不能に保持するネジ固定部材によって保持されるようにしたガス供給管接続用ネジの固定構造であって、
前記鉄皮又は前記ネジ固定部材に固着され、少なくとも前記頭部フランジの角隅部上面を覆うように前記ガス供給管接続用ネジと係合するネジ係合部材が、前記ネジ固定部材と共に前記ガス供給管接続用ネジを前記取り付け部位に固定するようにしたことを特徴とする。
【０００８】
請求項２に記載のガス供給管接続用ネジの固定構造は、請求項１に記載の発明において、前記ネジ固定部材が、前記頭部フランジと係合して当該頭部フランジを回転不能とする頭部フランジ嵌入穴を有するリング状のネジ固定用治具からなり、
当該ネジ固定用治具の表面に、前記頭部フランジの角隅部上面を覆う前記ネジ係合部材を連接形成して、
前記ネジ固定用治具が、前記ガス供給管接続用ネジを前記取り付け部位に固定するようにしたことを特徴とする。
【０００９】
請求項３に記載のガス供給管接続用ネジの固定構造は、請求項１に記載の発明において、平板状の前記ネジ固定部材に幅方向の断面がＬ字状に形成された前記ネジ係合部材を一体成型して、ネジ係合部を有する前記ネジ固定部材を設け、
一対の当該ネジ固定部材を、前記ネジ係合部が前記ガス供給管接続用ネジを挟んで対向するように配置して、
前記ネジ固定部材が、前記ガス供給管接続用ネジを前記取り付け部位に固定するようにしたことを特徴とする。
【発明の効果】
【００１０】
請求項１に記載のガス供給管接続用ネジの固定構造によれば、鉄皮又はネジ固定部材に固着されるネジ係合部材が、少なくとも頭部フランジの角隅部上面を覆うようにガス供給管接続用ネジと係合するようにした。そのため、万が一、ガス供給管接続用ネジが取り付け部位から外れた場合であっても、ガス供給管接続用ネジの頭部フランジがネジ係合部材に係止される。
これにより、ガス供給管接続用ネジを引っ張る力に対する抗力を高めることができるので、ガス供給管が引っ張られたときにガス供給管接続用ネジが抜け落ちないようにすることができる。
【００１１】
請求項２に記載のガス供給管接続用ネジの固定構造によれば、頭部フランジと係合して当該頭部フランジを回転不能とする頭部フランジ嵌入穴を有するリング状のネジ固定用治具の表面に、頭部フランジの角隅部上面を覆うネジ係合部材を連接形成した。そのため、ネジ固定用治具の取り付けと同時にネジ係合部材を取り付けることができる。そして、ネジ固定用治具を鉄皮に固着することによって、ガス供給管接続用ネジの過回転を防ぐと共にガス供給管接続用ネジの取り付け部位からの抜脱を禁止することができる。
これにより、ガス供給管接続用ネジを引っ張る力に対する抗力を高めることができるので、ガス供給管が引っ張られたときにガス供給管接続用ネジが抜け落ちないようにすることができる。
【００１２】
請求項３に記載のガス供給管接続用ネジの固定構造によれば、平板状のネジ固定部材に幅方向の断面がＬ字状に形成されたネジ係合部材を一体成型して、ネジ係合部を有するネジ固定部材を設けた。そして、ネジ係合部がガス供給管接続用ネジを挟んで対向するように、一対の当該ネジ固定部材を配置した。そのため、ネジ固定部材を取り付けたとき、ガス供給管接続用ネジの頭部フランジの角隅部上面を覆うように、ネジ係合部をガス供給管接続用ネジに係合させることができる。すなわち簡素な構造のネジ固定部材によって、ガス供給管接続用ネジの過回転を防ぐと共にガス供給管接続用ネジの取り付け部位からの抜脱を禁止することができる。
これにより、ガス供給管接続用ネジを引っ張る力に対する抗力を高めることができるので、ガス供給管が引っ張られたときにガス供給管接続用ネジが抜け落ちないようにすることができる。
【図面の簡単な説明】
【００１３】
【図１】第１実施例に係るガス供給管接続用ネジの固定構造が適用されるノズルの一例を示した断面図である。
【図２】第１実施例に係るガス供給管接続用ネジの固定構造の構成の概略を示す平面図である。
【図３】図２のＡ−Ａ線部分拡大断面図である。
【図４】第２実施例に係るガス供給管接続用ネジの固定構造の構成の概略を示す平面図である。
【図５】図４のＡ−Ａ線部分拡大断面図である。
【図６】従来のガス供給管接続用ネジの固定構造の一例を示す平面図である。
【図７】図６のＡ−Ａ線部分拡大断面図である。
【実施例１】
【００１４】
本願発明に係るガス供給管接続用ネジの固定構造の実施例を、添付した図面にしたがって説明する。
本実施例に係るノズルの一例を図１に示す。図２及び図３は、本実施例に係るガス供給管接続用ネジの固定構造の構成の概略を示したものである。
【００１５】
ノズル１は、たとえば、連続鋳造に用いられるものである。連続鋳造用ノズルとは、ノズル１の上部付近をタンディッシュの溶鋼排出口へ気密に接続し、当該ノズル１の下部付近をモールド内に挿入浸漬して、タンディッシュ内の金属溶湯をモールドに注入するノズルをいう。
なお、本実施例に係るガス供給管接続用ネジの固定構造は、連続鋳造用ノズルに限定されるものでは無く、以下に説明するガス導入路を有するノズルであって、ガス供給管が接続可能なノズルに適用することができる。
【００１６】
ノズル１のノズル本体２は、溶融金属からなる溶湯が流通可能なノズル内孔３を有している。ノズル内孔３は、ノズル本体２の中心部を軸方向に沿って形成された有底孔であって、底部近傍に一対の溶湯排出口４，４が形成されている。
また、ノズル本体２は、アルゴンガス等の不活性ガスをノズル内孔３へ供給可能なガス導入路５を有している。ガス導入路５は、ノズル内孔３と略同心でかつ軸方向に延在する環状スリットからなる。ガス導入路５を介して、不活性ガスをノズル内孔３へ供給することによって、当該ノズル内孔３の壁面に酸化物、たとえば溶鋼中に含まれるアルミが酸化したもの又はこれに類する酸化物、が付着することを防止することができる。
ガス導入路５の上端近傍にはガス供給路６が連接形成されている。ガス供給路６は、ガス導入路５とノズル本体２の外側面との間のノズル胴部２ａを貫通している。ガス供給路６は、図３に示すように、雌ネジ（図示略）が切られた接合部６ａと、当該接合部６ａより小径の連通部６ｂからなる。接合部６ａには雄ネジ（図示略）を備えたガス供給管接続用ネジ１０が螺合される。これによって、ガス供給路６にガス供給管接続用ネジ１０を取り付けることができる。
【００１７】
ガス供給管接続用ネジ１０を取り付けたノズル胴部２ａの取り付け部位近傍には鉄皮７が巻回されている。これによって、取り付け部位近傍のノズル胴部２ａを補強することができるので、ガス供給管３０を取り付ける際にノズル本体２が破壊されてしまうことを防止することができる。
鉄皮７は、ノズル胴部２ａの外周と略同一の長さを有し、Ω字状に曲げられた帯状体からなる。帯状体は、ノズル本体２に巻回した後、当該帯状体の対向する両端部を溶接してノズル胴部２ａに固定されている。なお、溶接では無く、たとえば、接着剤又はボルトで留めるようにしても良い。また、一枚の帯状体をノズル胴部２ａに巻回することに限定せず、たとえば、一対の金属製半円リングによってノズル胴部２ａを挟持するようにしても良い。
鉄皮７は、ガス供給管接続用ネジ１０が挿通可能なネジ挿通穴８が形成されている。ネジ挿通穴８は、ガス供給管接続用ネジが十分に挿通可能な略矩形状に形成されている。ネジ挿通穴８はガス供給路６の開口端と重なり合うように配置されている。これにより、鉄皮７を巻回したノズル胴部２ａにガス供給管接続用ネジ１０を螺合することができる。
【００１８】
ガス供給管接続用ネジ１０は、図２及び図３に示すように、ネジ本体部１１と頭部フランジ１２とからなる。ネジ本体部１１と頭部フランジ１２は圧造等によって一体成形されている。
ネジ本体部１１は、外側面に雄ネジ（図示略）が形成されている。ネジ本体部１１と頭部フランジ１２の中心部には軸方向に沿って貫通孔１３が形成されている。貫通孔１３はガス供給路６の連通部６ｂを通ってガス導入路５まで通じている。これにより、ガスを供給するとき、スムーズにガス導入路５へガスを供給することができる。貫通孔１３の内側面には雌ネジ（図示略）が形成されている。当該雌ネジは、ガス供給管３０の先端に形成した雄ネジ（図示略）と螺合可能に形成されている。これによって、ガス供給管接続用ネジ１０は、ガス供給管３０をノズル１に取り付けることができる。
頭部フランジ１２は、図２に示すように、正面視正六角形に形成されている。当該正六角形の各頂角を成す各角部のうち、いずれかの角部を抑えることによって、ガス供給管接続用ネジ１０は、回動が禁止される。頭部フランジ１２は、図３に示すように、ガス供給管接続用ネジ１０をガス供給路６へ螺合したとき、上部が鉄皮７のネジ挿通穴８から若干突出するように形成されている。頭部フランジ１２の鉄皮７から突出した部分には、ネジ固定治具２０が嵌合される。
【００１９】
ネジ固定治具２０は、環状に形成されたネジ固定部材であって、中央部に頭部フランジ嵌入穴２１が形成されている。頭部フランジ嵌入穴２１は、正六角形状の頭部フランジ１２の外形よりも一回り大きい正六角形状に形成されている。これにより、頭部フランジ嵌入穴２１へ頭部フランジ１２を嵌入することができる。
ネジ固定治具２０の頭部フランジ嵌入穴２１近傍には、一対のネジ係合部材２２が連接形成されている。ネジ係合部材２２は、平板状のベースに断面Ｌ字状の係合部を一体成形して形成されている。
ネジ係合部材２２のベース下面は、頭部フランジ嵌入穴２１近傍のネジ固定治具２０の表面に溶接又は接着剤によって接着されている。ここで、一のネジ係合部材２２のベースは、頭部フランジ嵌入穴２１の一辺に沿って配され、他のネジ係合部材２２のベースは、頭部フランジ嵌入穴２１の一辺に対向する他辺に沿って配されている。これにより、一対のネジ係合部材２２は、頭部フランジ嵌入穴２１を挟んで平行に配されている。なお、両ネジ係合部材２２，２２は、ノズル１の軸方向に沿って並設されていることが好ましい。これは、ノズルの周方向に沿ってネジ係合部材２２，２２を配置するよりも、頭部フランジ１２の上面へ、ネジ係合部材２２，２２の特に両端部を近接させることができるからである。
ネジ係合部材２２の係合部内側面は、頭部フランジ１２の角隅部上面を覆って係合するように形成されている。一対のネジ係合部材２２が頭部フランジ嵌入穴２１の平行な二辺に沿って配されていることから、ネジ係合部材２２の係合部は、頭部フランジ１２の一辺と、当該一辺に対向する他辺の角隅部上面を覆って、頭部フランジ１２の角隅部上面と係合するように形成されている。
これにより、ガス供給管接合用ネジ１０が軸方向に沿って飛び出したとき、ネジ係合部材２２はガス供給管接続用ネジ１０を抑え込むことができる。そのため、ガス供給路６からガス供給管接続用ネジ１０が抜脱することを防止することができる。
なお、本実施例において、ネジ係合部材２２は対をなす略平板状の部材によって形成したが、この形状に限定されるものでは無く、頭部フランジ１２の少なくとも角隅部上面を覆うように形成されていれば、たとえば、三角形状乃至は六角形状の多角形枠体や、頭部フランジの上面を覆ってガス供給管を通す貫通孔を備えたワッシャ状や穴あき硬貨状のものであっても良い。
【００２０】
上記の構成を有するガス供給管接続用ネジの固定構造について、当該ガス供給管接続用ネジの固定方法を次に説明する。
【００２１】
ガス供給管接続用ネジ１０は、鉄皮７が巻回されたノズル胴部２ａのネジ挿通穴８から露出するガス供給路６の開口端へ螺入される。これにより、ガス供給管接続用ネジ１０がガス供給路６の接合部６ａに螺合される。当該接合部６ａにガス供給管接続用ネジを螺着させると、当該ガス供給接続用ネジの頭部フランジ１２は、上端の一部がネジ挿通穴８から突出する。このとき、頭部フランジ１２の一辺と当該一辺に対向する他辺は、ノズル２の軸方向に沿っていることが好ましい。
【００２２】
頭部フランジ１２とネジ挿通穴８との隙間２５は、耐火モルタルが充填される。当該耐火モルタルが固化することによって頭部フランジ１２はネジ挿通穴８内で固定される。そして、ネジ挿通穴８を覆い隠すようにネジ固定治具２０が配置される。ネジ固定治具２０の頭部フランジ嵌入穴２１に頭部フランジ１２が嵌入され、ネジ固定治具２０の裏面は鉄皮７に密接する。このとき、頭部フランジ１２は、ネジ係合部材２２，２２によって、一辺と当該一辺に対向する他辺の上端角隅部が覆われる。
そして、ネジ固定治具２０は、鉄皮７にスポット２６で溶接されて固定される。
上記のように、ガス供給管接続用ネジ１０は、ノズル２に取り付けられてネジ固定治具２０で固定される。ネジ固定治具２０を鉄皮７へ溶接したことによって、ガス供給管接続用ネジ１０の回動を禁止することができる。これにより、ガス供給管接続用ネジ１０が過回転することを防止することができ、ノズル胴部２ａにクラックが入ったり、ノズル本体２、ガス供給管接続用ネジ１０、又はガス供給管３０に形成されたネジ山をなめてしまうことを防止することができる。
一方、ネジ係合部材２２は、ガス供給管接続用ネジ１０が軸方向に沿って飛び出さないようにすることができる。これにより、ガス供給管３０が引っ張られたとき、ガス供給管接続用ネジ１０がガス供給路６から抜脱してガス供給管３０が外れることを防止することができる。そのため、ガス供給管３０を持ってノズルを運んでいるとき、不意にガス供給管３０がノズル１外れて、落ちたノズル１が破損したり、落ちたノズル１によって負傷することを防止することができる。
【００２３】
本実施例に係るガス供給管接続用ネジの固定構造によれば、ネジ固定治具２０にガス供給管接続用ネジ１０の飛び出しを防止する一対のネジ係合部材２２，２２を設けた。これにより、ガス供給管３０、ガス供給間接続用ネジ１０の過回転を防止すると共に、同一の治具でガス供給管３０、ガス供給間接続用ネジ１０の脱落をも防止することができる。また、一の治具で作業工程を終えることができるので、ガス供給管３０を接続するときの手間を省くことができる。
【実施例２】
【００２４】
本願発明に係るガス供給管接続用ネジの固定構造について、他の実施例を、添付した図面にしたがって説明する。図４及び図５は、本実施例に係るガス供給管接続用ネジの固定構造の構成の概略を示したものである。
【００２５】
第２実施例に係るノズル１及びガス供給管接続用ネジ１０の構造は、第１実施例と同様であるから説明を省略する。第１実施例と第２実施例の相違点は、第１実施例に係るネジ固定治具２０を第２実施例では一対のネジ固定部材４０，４０とした点である。以下に説明する。
【００２６】
ネジ固定部材４０，４０は、平板に幅方向の断面がＬ字状に形成されたネジ係合部材４０ｂを一体化して形成されている。これにより、ネジ固定部材４０の一は、ベース４０ａ及び係合部４０ｂを有する略平板状に形成されている。
ベース４０ａは、ノズル胴部２ａに巻回した鉄皮７に下面を接するように配されている。ベース４０ａの係合部側の長辺は、ガス供給管接続用ネジ１０の頭部フランジ１２の一辺に当接するように配されている。断面Ｌ字状に形成された係合部４０ｂは、その内側面が頭部フランジ１２の一辺側の上端角隅部を覆って、頭部フランジ１２と係合するように形成されている。これにより、ネジ固定部材４０，４０は、頭部フランジ１２角隅部上面及び側面を覆うようにガス供給管接続用ネジ１０と係合することができる。
【００２７】
上記の構成を有するガス供給管接続用ネジの固定構造について、当該ガス供給管接続用ネジの固定方法を次に説明する。
【００２８】
ガス供給管接続用ネジ１０は、第１実施例と同様に、鉄皮７が巻回されたノズル胴部２ａのネジ挿通穴８から露出するガス供給路６の開口端へ螺入される。これにより、ガス供給管接続用ネジ１０がガス供給路６の接合部６ａに螺合される。当該接合部６ａにガス供給管接続用ネジを螺着させると、当該ガス供給接続用ネジの頭部フランジ１２は、上端の一部がネジ挿通穴８から突出する。このとき、頭部フランジ１２の一辺と当該一辺に対向する他辺は、ノズル２の軸方向に沿っていることが好ましい。
【００２９】
頭部フランジ１２とネジ挿通穴８との隙間４５は、耐火モルタルが充填される。当該耐火モルタルが固化することによって頭部フランジ１２はネジ挿通穴８内で固定される。そして、ノズル本体２の軸方向に沿って平行な頭部フランジ１２の二辺に沿って、ネジ固定治部材４０，４０が配置される。
ネジ固定部材４０，４０のベース４０ａの頭部フランジ１２側の長辺は、頭部フランジの辺縁部に沿って当接される。これにより、ベース４０ａは、頭部フランジ１２の回動を禁止することができる。
ネジ固定部材４０，４０のうち、一のネジ固定部材４０の係合部４０ｂの折り曲げた内側面側が、頭部フランジ１２の一辺の上端角隅部へ当接される。他のネジ固定部材４０は、ガス供給管接続用ネジ３０を挟んで一のネジ固定部材４０と対向するように配され、このとき他のネジ固定部材４０の係合部４０ｂの折り曲げた内側面側が、頭部フランジ１２の他辺の上端角隅部へ当接される。ここで、ネジ固定部材４０，４０のベース４０ａの上下端部の裏面は、鉄皮７に密接する。
そして、ネジ固定治具４０，４０は、鉄皮７にスポット４６で溶接されて固定される。
上記のように、ガス供給管接続用ネジ１０は、ノズル２に取り付けられてネジ固定部材４０，４０で固定される。ネジ固定部材４０，４０を鉄皮７へ溶接したことによって、ガス供給管接続用ネジ１０の回動を禁止することができる。これにより、ガス供給管接続用ネジ１０が過回転することを防止することができ、ノズル胴部２ａにクラックが入ったり、ノズル本体２、ガス供給管接続用ネジ１０、又はガス供給管３０に形成されたネジ山をなめてしまうことを防止することができる。
そして、係合部４０ｂは、ガス供給管接続用ネジ１０が軸方向に沿って飛び出さないようにすることができる。これにより、ガス供給管３０が引っ張られたとき、ガス供給管接続用ネジ１０がガス供給路６から抜脱してガス供給管３０が外れることを防止することができる。そのため、ガス供給管３０を持ってノズルを運んでいるとき、不意にガス供給管３０がノズル１外れて、落ちたノズル１が破損したり、落ちたノズル１によって負傷することを防止することができる。
【００３０】
本実施例に係るガス供給管接続用ネジの固定構造によれば、一対の略平板状のネジ固定部材４０，４０の係合部４０ｂ内側面で、ガス供給管接続用ネジ１０の頭部フランジ１２の角隅部上面を覆うようにした。ここで、鉄皮７に形成されたネジ挿通穴８がいかなる形状であっても、ネジ固定部材４０，４０のベース４０ａを頭部フランジの上端辺縁部に当接させることができる。また、頭部フランジ１２の形状が正面視正六角形以外の形状であっても、一対のネジ固定部材４０，４０で頭部フランジ１２を挟持する構造であるため、確実にガス供給管接続用ネジを固定することができる。
【００３１】
このように、第１実施例及び第２実施例に係るガス供給管接続用ネジの固定構造によれば、簡素な治具又は部材によって、確実にガス供給管接続用ネジ１０の回転を抑止すると共に、当該ガス供給管接続用ネジ１０の抜脱を防止することができる。
【符号の説明】
【００３２】
１…ノズル、２…ノズル本体、２ａ…ノズル胴部、３…ノズル内孔、４…溶湯排出口、
５…ガス導入路、６…ガス供給路、６ａ…接合部、６ｂ…連通部、７…鉄皮、８…ネジ挿通穴、
１０…ガス供給管接続用ネジ、１１…ネジ本体、１２…頭部フランジ、１３…貫通孔、
２０…ネジ固定治具、２１…頭部フランジ嵌入穴、２２…ネジ係合部材、
２５，４５…ネジ挿通穴と頭部フランジの隙間、２６，４６，５２…スポット溶接個所、
３０…ガス供給管、
４０…ネジ固定部材、４０ａ…ベース、４０ｂ…係合部、
５０…従来のネジ固定治具、５１…従来のネジ固定治具に係る頭部フランジ嵌入穴。
【図１】
2015178115.tif 000003
【図２】
2015178115.tif 000004
【図３】
2015178115.tif 000005
【図４】
2015178115.tif 000006
【図５】
2015178115.tif 000007
【図６】
2015178115.tif 000008
【図７】
2015178115.tif 000009